(57)【要約】      （修正有）【課題】取り外したときに壁面に汚れが残らず、また一旦セットした後でも容易に取り外すことができる表示板を提供する。【解決手段】固定支持部２と表示板７とで構成する。固定支持部２は、背面に永久磁石３を取着した垂直板４と、該垂直板４の上端部から直角に前方に向けて所要の長さに張り出した水平板５とからなる。該水平板５の先端における両端部に内向きのフック部６を設け、表示板の上端部にフック部と係合する凹部８を設けた構造とする。【選択図】図１
2007286335.tif 000002
【特許請求の範囲】
【請求項１】
背面に永久磁石を取着した垂直板と、該垂直板の上端部から直角に前方に向けて所要の長さに張り出した水平板とからなり、更に該水平板の先端における両端部に内向きのフック部を設けてなる、磁性体からなる垂直な壁面に磁力によって吸着する固定支持部と、所要の大きさ及び形状をなし、上端部に前記固定支持部におけるフック部と係合する凹部を設けた、適宜の弾性を有する表示板とからなる広告、装飾体等の壁面保持装置。
【請求項２】
背面に永久磁石を取着した垂直板と、該垂直板の上端部から直角に前方に向けて所要の長さに張り出した水平板とからなり、更に該水平板の基部中央に係合孔を設けてなる、磁性体からなる垂直な壁面に磁力によって吸着する固定支持部と、所要の大きさ及び形状をなし、上端部に前記固定支持部における係合孔に係合するフック部を設けた、適宜の弾性を有する表示板とからなる広告、装飾体等の壁面保持装置。
【請求項３】
背面に永久磁石を取着した垂直板と、該垂直板の上端部から直角に前方に向けて所要の長さに張り出した水平板とからなり、更に該水平板の先端における両端部に内向きのフック部を設けると共に、該水平板の基部に係合孔を設けてなる、磁性体からなる垂直な壁面に磁力によって吸着する固定支持部と、所要の大きさ及び形状をなし、上端部に前記固定支持部におけるフック部と係合する凹部を設けた、適宜の弾性を有する表示板と、所要の大きさ及び形状をなし、上端部に前記固定支持部における係合孔に係合するフック部を設けた、適宜の弾性を有する表示板のいずれか一方又はこれらの両方とからなる広告、装飾体等の壁面保持装置。
【発明の詳細な説明】
【技術分野】
【０００１】
本発明は広告、装飾体等の壁面保持装置に関し、更に詳細には、広告や装飾体を、鋼板や鉄板等の磁性体からなる垂直な壁面に磁石の磁力をもって保持するようになした装置に係わる。
【背景技術】
【０００２】
垂直な壁面に、商品広告や商品情報の表示体或いは装飾体等を保持しようとする場合、その壁面が鋼板や鉄板等の硬質の材料からなっているときには、鋲が使用できないことから、これらを接着剤や両面粘着テープ、セロハンテープ等で保持固定しなければならない。
【０００３】
しかし、これらの接着剤や両面粘着テープ、セロハンテープ等を用いた場合には、剥がした後の壁面に接着剤や粘着剤の一部が滓として残る。そして、これは見苦しいことから落とさなければならないが、これには非常に手間と時間がかかる。
【０００４】
また更に、これらの手段による場合には、一旦セットしてしまうと容易に剥がすことができない。そして、このため交換作業を迅速に行うことができず、また位置を簡単に変更することもできない。そしてまた、一度剥がしてしまうと接着剤や粘着剤の貼着力が弱まり、結局繰り返して使用することが難しくなる。
【発明の開示】
【発明が解決しようとする課題】
【０００５】
本発明は上記の点に鑑みなされたものであって、広告や装飾体等の鋼板や鉄板等の磁性体からなる垂直な壁面への保持を、磁石の磁力を利用して行うようになし、もって従来手段による問題点を悉く解消することができるようになした広告、装飾体等の壁面保持装置を提供せんとするものである。
【課題を解決するための手段】
【０００６】
而して、本発明は、以下の装置を要旨とするものである。
（１）背面に永久磁石を取着した垂直板と、該垂直板の上端部から直角に前方に向けて所要の長さに張り出した水平板とからなり、更に該水平板の先端における両端部に内向きのフック部を設けてなる、磁性体からなる垂直な壁面に磁力によって吸着する固定支持部と、所要の大きさ及び形状をなし、上端部に前記固定支持部におけるフック部と係合する凹部を設けた、適宜の弾性を有する表示板とからなる広告、装飾体等の壁面保持装置。
【０００７】
（２）背面に永久磁石を取着した垂直板と、該垂直板の上端部から直角に前方に向けて所要の長さに張り出した水平板とからなり、更に該水平板の基部に係合孔を設けてなる、磁性体からなる垂直な壁面に磁力によって吸着する固定支持部と、所要の大きさ及び形状をなし、上端部に前記固定支持部における係合孔に係合するフック部を設けた、適宜の弾性を有する表示板とからなる広告、装飾体等の壁面保持装置。
【０００８】
（３）背面に永久磁石を取着した垂直板と、該垂直板の上端部から直角に前方に向けて所要の長さに張り出した水平板とからなり、更に該水平板の先端における両端部に内向きのフック部を設けると共に、該水平板の基部中央に係合孔を設けてなる、磁性体からなる垂直な壁面に磁力によって吸着する固定支持部と、所要の大きさ及び形状をなし、上端部に前記固定支持部におけるフック部と係合する凹部を設けた、適宜の弾性を有する表示板と、所要の大きさ及び形状をなし、上端部に前記固定支持部における係合孔に係合するフック部を設けた、適宜の弾性を有する表示板のいずれか一方又はこれらの両方とからなる広告、装飾体等の壁面保持装置。
【発明の効果】
【０００９】
本発明は、上記の如く、広告や装飾体等の鋼板や鉄板等の磁性体からなる垂直な壁面への保持を、磁石の磁力を利用して行うようになしたものであるから、取り外した後の壁面に何らの汚れも残らないものである。したがって、従来の手段の如き汚れを落とす手間と時間が不要である。また、一旦セットした後でも容易にこれを取り外すことができる。そしてまた、これにより交換作業を迅速に行うことができると共に位置の変更も容易に行うことができるものである。また、従来の接着剤や粘着剤の場合には、一度剥がしてしまうと粘着力が弱まり、繰り返して使用することは殆ど不可能であるが、本発明の場合には、磁石の磁力を利用するものであるから、何度でも繰り返して使用することが可能である。そしてまた、これにより資源の節約と廃棄物の削減に資するものである。更にまた、固定支持部はそのままにして、表示板だけを付け替えるようにしてもよく、この場合には、一層資源の節約と廃棄物の削減に資するものである。
【発明を実施するための最良の形態】
【００１０】
本発明を実施するための最良の形態は、背面に永久磁石を取着した垂直板と、該垂直板の上端部から直角に前方に向けて所要の長さに張り出した水平板とからなり、更に該水平板の先端における両端部に内向きのフック部を設けると共に、該水平板の基部中央に係合孔を設けてなる、磁性体からなる垂直な壁面に磁力によって吸着する固定支持部と、所要の大きさ及び形状をなし、上端部に前記固定支持部におけるフック部と係合する凹部を設けた、適宜の弾性を有する表示板と、所要の大きさ及び形状をなし、上端部に前記固定支持部における係合孔に係合するフック部を設けた、適宜の弾性を有する表示板のいずれか一方又はこれらの両方とをもって構成することにある。
【実施例１】
【００１１】
以下、本発明の実施例について説明する。
図１は本発明の第１実施例の斜視図である。
【００１２】
図中、１は広告、装飾体等の壁面保持装置であり、後記固定支持部と表示板とからなるものである。２は固定支持部である。また、該固定支持部２は、背面に永久磁石３を取着した垂直板４と、該垂直板４の上端部から直角に前方に向けて所要の長さに張り出した水平板５とからなるものである。尚、これら垂直板４と水平板５は透明な樹脂からなっている。そしてまた、該水平板５には、その先端における両端部に内向きのフック６、６を設けている。
【００１３】
７は透明な樹脂からなり、適宜の弾性を有する表示板である。また、該表示板７は、その表面に文字や図柄、彩色等を施し、それ自体を広告体や装飾体としても良いし、或いはそれの表面に、文字や図柄、彩色等を施したシート状の表示体を貼着する等して広告体や装飾体としてもよい。また、該表示板７は、本実施例では、垂直板４を、その高さ１５ｍｍ、長さ３０ｍｍとし、また水平板５の張り出す長さを約２０ｍｍとしている。そしてまた、該表示板７には、その上端部に、前記固定支持部２におけるフック部６、６と係合する凹部８、８を設けている。
【００１４】
而して、本実施例の場合には、先ず固定支持部２を、永久磁石３をもって図示しない磁性体からなる垂直な壁面の適所に固定する。そしてその後、表示板７を両側方から加圧して撓めた状態で固定支持部２に近づけ、その凹部８、８が固定支持部２におけるフック部６、６と一致したときに加圧を解いて復元させ、これらを係合させるものである。
【実施例２】
【００１５】
次に、図２に示した本発明の第２実施例について説明する。
本実施例は、前記第１実施例における水平板５のフック部６、６と、表示板７の凹部８、８に代えて、水平板５の基部中央に係合孔９を設ける一方、表示板の上端部に、固定支持部２における係合孔９に係合するフック部１０、１０を設けた点において前記第１実施例と相違するものである。尚、その他の構成については前記第１実施例と同様であるので、同一の部材には同一の符号を付して詳細な説明は省略する。
【００１６】
而して、本実施例の場合には、先ず固定支持部２を、永久磁石３をもって図示しない磁性体からなる垂直な壁面の適所に固定する。そしてその後、表示板７を下側から押し上げ、そのフック部１０、１０を固定支持部２における水平板５の係合孔９にくぐり抜けさせるものである。
【実施例３】
【００１７】
次に、図３乃至図９に示した本発明の第３実施例について説明する。
本実施例は、前記第１実施例と第２実施例とを合わせた構成である。したがって第１実施例と第２実施例におけるものと同一の部材には同一の符号を付して詳細な説明は省略する。
【００１８】
而して、本実施例の場合には、先ず固定支持部２を、永久磁石３をもって図示しない磁性体からなる垂直な壁面の適所に固定する。そしてその後、図７及び図８に示す如く、前記第１実施例及び第２実施例と同様の手順によって表示板７を固定支持部２に一体的に結合させるものである。
【００１９】
また、表示板７は、第１実施例のものと第２実施例のものとで固定支持部への結合手段が異なるが、これらは夫々単独で用いるようにしてもよいし、或いは図９に示す如く組み合わせて同時に用いるようにしてもよい。この図９に示した如き用い方の場合には、奥行きがあり、立体感を持たせることができる。したがって、広告効果や装飾効果が一段と高まるものである。
【実施例４】
【００２０】
次に、図１０に示した本発明の第４実施例について説明する。
上記第１実施例乃至第３実施例においては、固定支持部２と表示板７とを一対一の関係で用いたが、本実施例では、表示板７の長さを適宜に延ばし、その両端部を別個の固定支持部２、２によって保持するようにして、１枚の表示板７に対して複数の固定支持部２、２を用いて保持するようにしている。そしてまた、本実施例の場合においても、図９におけると同様に、２枚の表示板７、７を同時に用いれば、奥行きと立体感を持たせることができる。
【図面の簡単な説明】
【００２１】
【図１】本発明の第１実施例の斜視図である。
【図２】本発明の第２実施例の斜視図である。
【図３】本発明の第３実施例における固定支持部の正面図である。
【図４】本発明の第３実施例における固定支持部の右側面図である。
【図５】本発明の第３実施例における固定支持部の平面図である。
【図６】本発明の第３実施例における固定支持部の斜視図である。
【図７】本発明の第３実施例の第１の使用方法を示す斜視図である。
【図８】本発明の第３実施例の第２の使用方法を示す斜視図である。
【図９】本発明の第３実施例の第３の使用方法を示す斜視図である。
【図１０】本発明の第４実施例の斜視図である。
【符号の説明】
【００２２】
１  広告、装飾体等の壁面保持装置
２  固定支持部
３  永久磁石
４  垂直板
５  水平板
６、６  フック
７  表示板
８、８  凹部
９  係合孔
１０、１０  フック部
【図１】
2007286335.tif 000003
【図２】
2007286335.tif 000004
【図３】
2007286335.tif 000005
【図４】
2007286335.tif 000006
【図５】
2007286335.tif 000007
【図６】
2007286335.tif 000008
【図７】
2007286335.tif 000009
【図８】
2007286335.tif 000010
【図９】
2007286335.tif 000011
【図１０】
2007286335.tif 000012